(57)【要約】【課題】  コントラスト制御方式が異なる２種類以上の表示部を有する画像表示装置でも、同時に制御できる制御装置等を提供する。【解決手段】  メインの表示部３０１とサブの表示部４０４のコントラストを制御するにあたって、メインの表示部３０１のコントラストを制御するコントラスト制御信号を生成するメイン表示部コントラスト制御信号生成部２０８と、メイン表示部コントラスト制御信号生成部２０８からのコントラスト制御信号を受信し、サブの表示部４０４においてメインの表示部３０１と同等レベルのコントラストを表示するための信号に変換するサブ表示部コントラスト制御信号変換部４０３とを備える制御装置。メインの表示部３０１のコントラストを暗くする信号をメイン表示部コントラスト制御信号生成部２０８に送出するコントラスト調整ダウンボタン２０６と、明るくする信号を送出するコントラスト調整アップボタン２０７とを設けることが好ましい。【選択図】  図１
2005031597.tif 000002
【特許請求の範囲】
【請求項１】
メインの表示部とサブの表示部とを備えた画像表示装置の前記メインの表示部とサブの表示部のコントラストを制御するコントラスト制御装置であって、
前記メインの表示部のコントラストを制御するコントラスト制御信号を生成するメイン表示部コントラスト制御信号生成部と、
該メイン表示部コントラスト制御信号生成部からのコントラスト制御信号を受信し、前記サブの表示部において前記メインの表示部と同等レベルのコントラストを表示するための信号に変換するサブ表示部コントラスト制御信号変換部とを備えることを特徴とする画像表示装置のコントラスト制御装置。
【請求項２】
前記メインの表示部のコントラストを暗くするためのコントラスト制御信号を前記メイン表示部コントラスト制御信号生成部に送出するコントラスト調整ダウンボタンと、
前記メインの表示部のコントラストを明るくするためのコントラスト制御信号を前記メイン表示部コントラスト制御信号生成部に送出するコントラスト調整アップボタンとを備えることを特徴とする請求項１記載の画像表示装置のコントラスト制御装置。
【請求項３】
前記メインの表示部とサブの表示部は、ＬＣＤで形成されることを特徴とする請求項１または２記載の画像表示装置のコントラスト制御装置。
【請求項４】
請求項１、２または３に記載の画像表示装置を備えることを特徴とするボタン電話機。
【請求項５】
メインの表示部とサブの表示部とを備えた画像表示装置の前記メインの表示部とサブの表示部のコントラストを制御するコントラスト制御方法であって、
前記メインの表示部のコントラストを制御するコントラスト制御信号を生成し、
該コントラスト制御信号を受信し、前記サブの表示部において前記メインの表示部と同等レベルのコントラストを表示するための信号に変換し、
該変換した信号に基づいて前記サブの表示部のコントラストを制御することを特徴とする画像表示装置のコントラスト制御方法。
【請求項６】
前記メインの表示部とサブの表示部は、ＬＣＤで形成されることを特徴とする請求項５記載の画像表示装置のコントラスト制御方法。
【発明の詳細な説明】
【技術分野】
【０００１】
本発明は、画像表示装置のコントラスト制御装置及び制御方法に関し、特に、ボタン電話装置に接続して使用されるボタン電話機等のＬＣＤのコントラストを制御する画像表示装置のコントラスト制御装置及び制御方法に関する。
【背景技術】
【０００２】
従来、複数のモニタ画面の画像の明るさの合わせ込み調整を簡単に行うにあたって、参照用印刷物を用意し、基準モニタを選択して基準画像の出力を表示し、基準モニタを参照用印刷物の画像と同じ明るさと色合いで見えるように明度調整し、明度調整により得られたＲＧＢ値を記録し、基準モニタ以外の調整すべき各他モニタに前記参照用印刷物の画像と同一内容の画像を出力表示し、各他モニタに前記記録したＲＧＢ値を割り当て、割り当てた各他モニタの出力表示画像を目視にて見比べ、かつ参照用印刷物の画像と同じ明るさと色合いで見えるように各他モニタのＲＧＢ値を微調整する技術が存在する（特許文献１参照）。
【０００３】
また、特許文献２に記載のように、複数の画像表示用ディスプレイからなる画像表示装置の各ディスプレイの輝度及びコントラスト等の表示特性を同時に調整するための調整ＶＲを備えた画像表示装置も提案されている。
【０００４】
一方、ボタン電話装置に接続して使用されるボタン電話機等のＬＣＤのコントラストを制御するにあたって、このボタン電話機等のＬＣＤ表示器は、ＬＣＤ駆動電圧によりコントラスト調整を行うコントラスト調整部を有し、ＬＣＤ駆動電圧の供給ラインとグランドＧＮＤとの間に負荷抵抗を設け、負荷抵抗とＬＣＤ駆動電圧の供給ラインとの接続部と、複数の端子との間に複数の抵抗を有する負荷抵抗部を接続し、マイクロコンピュータにより、複数の端子における接続断状態及び接続可能な状態を制御することにより、ＬＣＤ駆動電圧を調整する技術が特許文献３に記載されている。
【特許文献１】特開２００２−３３３８７４号公報
【特許文献２】特開平６−１６１４１２号公報
【特許文献３】特開平１１−２４２４５６号公報
【発明の開示】
【発明が解決しようとする課題】
【０００５】
上記特許文献１に記載のモニタ明度調節システムでは、基準モニタを明度調整した際のＲＧＢ値を各他モニタに割り当て、割り当てた各他モニタの出力表示画像を目視にて見比べ、参照用印刷物の画像と同じ明るさと色合いで見えるように各他モニタのＲＧＢ値を微調整するため、複数のモニタの明度調整を同時に行うことができないという問題があった。
【０００６】
また、特許文献２に記載の画像表示装置では、各ディスプレイの輝度及びコントラストを同時に調整し得るためのＶＲを備えるが、元々同じタイプのディスプレイの調整を行うことを目的にしているため、コントラスト制御方式が異なる２種類以上のＬＣＤ等のディスプレイを搭載したボタン電話機等の場合には、コントラスト制御信号レベルが全く異なるため、同時に制御することができないという問題があった。
【０００７】
そこで、本発明は、上記従来の画像表示装置等における問題点に鑑みてなされたものであって、コントラスト制御方式が異なる２種類以上の表示部を有する画像表示装置であっても、同時に制御することが可能な画像表示装置のコントラスト制御装置及び制御方法を提供することを目的とする。
【課題を解決するための手段】
【０００８】
上記目的を達成するため、本発明は、メインの表示部とサブの表示部とを備えた画像表示装置の前記メインの表示部とサブの表示部のコントラストを制御するコントラスト制御装置であって、前記メインの表示部のコントラストを制御するコントラスト制御信号を生成するメイン表示部コントラスト制御信号生成部と、該メイン表示部コントラスト制御信号生成部からのコントラスト制御信号を受信し、前記サブの表示部において前記メインの表示部と同等レベルのコントラストを表示するための信号に変換するサブ表示部コントラスト制御信号変換部とを備えることを特徴とする。
【０００９】
そして、本発明によれば、メイン表示部コントラスト制御信号生成部で生成したメインの表示部のコントラストを制御するコントラスト制御信号を、サブ表示部コントラスト制御信号変換部で受信し、サブの表示部において前記メインの表示部と同等レベルのコントラストを表示するための信号に変換するため、コントラスト制御方式が異なる２種類以上の表示部を有する画像表示装置であっても、同時に制御することが可能となる。
【００１０】
前記画像表示装置のコントラスト制御装置において、メインの表示部のコントラストを暗くするためのコントラスト制御信号を前記メイン表示部コントラスト制御信号生成部に送出するコントラスト調整ダウンボタンと、前記メインの表示部のコントラストを明るくするためのコントラスト制御信号を前記メイン表示部コントラスト制御信号生成部に送出するコントラスト調整アップボタンとを備えるように構成することができる。これによって、コントラスト調整ダウンボタンまたはコントラスト調整アップボタンのいずれかを押下するだけの１回のボタン操作にて、コントラスト制御方式が異なる２つ以上の表示部のコントラストを同時に制御することができ、コントラスト制御を行う時間を短縮し、表示部間のコントラストのばらつきが発生しないようにすることができる。
【００１１】
前記メインの表示部とサブの表示部は、ＬＣＤで形成したものであってもよく、このような画像表示装置をボタン電話機に搭載することができる。
【００１２】
また、本発明は、メインの表示部とサブの表示部とを備えた画像表示装置の前記メインの表示部とサブの表示部のコントラストを制御するコントラスト制御方法であって、前記メインの表示部のコントラストを制御するコントラスト制御信号を生成し、該コントラスト制御信号を受信し、前記サブの表示部において前記メインの表示部と同等レベルのコントラストを表示するための信号に変換し、該変換した信号に基づいて前記サブの表示部のコントラストを制御することを特徴とする。
【００１３】
このコントラスト制御方法によれば、上述のように、コントラスト制御方式が異なる２種類以上の表示部を有する画像表示装置でも同時に制御することが可能となる。尚、前記メインの表示部とサブの表示部は、ＬＣＤで形成することができる。
【発明の効果】
【００１４】
以上のように、本発明にかかる画像表示装置のコントラスト制御装置及び制御方法によれば、コントラスト制御方式が異なる２種類以上の表示部を有する画像表示装置であっても、同時に制御すること等が可能となる。
【発明を実施するための最良の形態】
【００１５】
次に、本発明にかかる画像表示装置のコントラスト制御装置及び制御方法の一実施の形態について、図１を参照しながら説明する。尚、以下の説明においては、本発明にかかる画像表示装置のコントラスト制御装置及び制御方法を複数のＬＣＤを有するボタン電話機に適用した場合を例にとって説明する。
【００１６】
図１に示すように、ボタン電話装置１０１に接続されるボタン電話機２０１は、ボタン電話装置１０１とボタン電話機２０１とのインタフェースとなる回線インタフェース部２０２と、この回線インタフェース部２０２からの伝送信号を制御する通信ＬＳＩ２０３と、ボタン電話機２０１全体の制御を行う中央制御部２０４と、音声の送受信を行う送受話器２０５と、ＬＣＤのコントラストを暗い方向へ調整するためのＬＣＤコントラスト調整ダウンボタン２０６と、ＬＣＤのコントラストを明るい方向へ調整するためのＬＣＤコントラスト調整アップボタン２０７と、ＬＣＤのコントラストを制御するための信号を生成するメインＬＣＤコントラスト制御信号生成部２０８と、時計表示や通話番号、通話時間及び内線番号等を表示するメインＬＣＤ部３０１と、ボタン電話機２０１にあるもう一つのＬＣＤを有するユニットであるＬＣＤユニット４０１と、ＬＣＤユニット４０１の制御を行うＬＣＤ制御部４０２と、ＬＣＤ制御部４０２の内部にあり、ＬＣＤのコントラストを制御するための信号を受信したことを認識するためのメインＬＣＤコントラスト制御信号認識部４０５と、ＬＣＤのコントラストを制御するための信号を生成するサブＬＣＤコントラスト制御信号変換部４０３と、主に回線ボタンの回線状態等を表示するサブＬＣＤ部４０４とで構成される。
【００１７】
次に、上記構成を有するコントラスト制御装置の動作について説明する。
【００１８】
まず、ボタン電話装置１０１にＬＣＤユニット４０１を搭載したボタン電話機２０１を接続した場合のコントラスト初期状態について説明する。
【００１９】
ボタン電話機２０１の回線インタフェース部２０２は、ボタン電話装置１０１より文字表示情報を受信する。回線インタフェース部２０２では、受信した文字表示情報を通信ＬＳＩ２０３を介して中央制御部２０４に送信する。中央制御部２０４は、受信した文字表示情報をメインＬＣＤ部３０１に表示するため、中央制御部２０４が有する初期値のＬＣＤコントラスト信号情報をメインＬＣＤコントラスト制御信号生成部２０８へ送信する。メインＬＣＤコントラスト制御信号生成部２０８は、ＬＣＤのコントラストを制御するための信号を生成し、メインＬＣＤ部３０１とＬＣＤユニット４０１の内部のＬＣＤ制御部４０２へ送信する。メインＬＣＤ部３０１は、受信したＬＣＤコントラスト制御信号をもとにコントラストの表示を行う。
【００２０】
また、ＬＣＤユニット４０１の内部のＬＣＤ制御部４０２に送信されたＬＣＤコントラスト制御信号は、内部のメインＬＣＤコントラスト制御信号認識部４０５にてＬＣＤコントラスト制御信号を受信したことを認識する。メインＬＣＤコントラスト制御信号認識部４０５は、ＬＣＤコントラスト制御信号をサブＬＣＤコントラスト制御信号変換部４０３へ送信する。サブＬＣＤコントラスト制御信号変換部４０３は、メインＬＣＤ部３０１のコントラスト表示と同等レベルのコントラスト表示をサブＬＣＤ部４０４に表示させるための信号レベルにＬＣＤコントラスト制御信号を生成する。生成された信号は、サブＬＣＤ部４０４へ送信され、サブＬＣＤ部４０４は、メインＬＣＤ部３０１と同等レベルのコントラスト表示を行う。
【００２１】
次に、ＬＣＤユニット４０１を搭載したボタン電話機２０１のコントラストを初期状態から明暗調整する動作について説明する。
【００２２】
コントラストを初期状態から暗くする場合には、ＬＣＤコントラスト調整ダウンボタン２０６を押下する。中央制御部２０４は、ＬＣＤコントラスト調整ダウンボタン２０６からの押下情報を受信し、メインＬＣＤコントラスト制御信号生成部２０８へ送信する。メインＬＣＤコントラスト制御信号生成部２０８は、暗くするためのＬＣＤコントラスト制御信号を生成し、メインＬＣＤ部３０１とＬＣＤユニット４０１内部のＬＣＤ制御部４０２へ送信する。
【００２３】
暗くするためのＬＣＤコントラスト制御信号を受信したメインＬＣＤ部３０１は、初期状態のコントラスト表示より暗く表示を行う。また、ＬＣＤ制御部４０２では、ＬＣＤ制御部４０２の内部にあるメインＬＣＤコントラスト制御信号認識部４０５にて、暗くするためのＬＣＤコントラスト制御信号の受信を認識し、サブＬＣＤコントラスト制御信号変換部４０３へ送信する。サブＬＣＤコントラスト制御信号変換部４０３は、メインＬＣＤ部３０１のコントラスト表示と同等レベルのコントラスト表示をサブＬＣＤ部４０４に表示させるための信号レベルにＬＣＤコントラスト制御信号を生成する。生成された信号は、サブＬＣＤ部４０４へ送信され、サブＬＣＤ部４０４は、メインＬＣＤ部３０１と同等レベルのコントラスト表示を行う。
【００２４】
また、さらに暗くする場合には、ＬＣＤコントラスト調整ダウンボタン２０６を再度押下することで上記と同様の動作を行い、メインＬＣＤ部３０１とサブＬＣＤ部４０４は、同等レベルのコントラスト表示を行う。
【００２５】
次に、コントラストを初期状態から明るくする場合には、ＬＣＤコントラスト調整アップボタン２０７を押下する。中央制御部２０４は、ＬＣＤコントラスト調整アップボタン２０７からの押下情報を受信し、メインＬＣＤコントラスト制御信号生成部２０８へ送信する。メインＬＣＤコントラスト制御信号生成部２０８は、明るくするためのＬＣＤコントラスト制御信号を生成し、メインＬＣＤ部３０１とＬＣＤユニット４０１の内部のＬＣＤ制御部４０２へ送信する。
【００２６】
明るくするためのＬＣＤコントラスト制御信号を受信したメインＬＣＤ部３０１は、初期状態のコントラスト表示より明るく表示する。また、ＬＣＤ制御部４０２では、ＬＣＤ制御部４０２の内部にあるメインＬＣＤコントラスト制御信号認識部４０５にて、明るくするためのＬＣＤコントラスト制御信号の受信を認識し、サブＬＣＤコントラスト制御信号変換部４０３へ送信する。サブＬＣＤコントラスト制御信号変換部４０３は、メインＬＣＤ部３０１のコントラスト表示と同等レベルのコントラスト表示をサブＬＣＤ部４０４に表示させるための信号レベルにＬＣＤコントラスト制御信号を生成する。生成された信号は、サブＬＣＤ部４０４へ送信され、サブＬＣＤ部４０４は、メインＬＣＤ部３０１と同等レベルのコントラスト表示を行う。
【００２７】
また、さらに明るくする場合には、ＬＣＤコントラスト調整アップボタン２０７を再度押下することで上記と同様の動作を行い、メインＬＣＤ部３０１とサブＬＣＤ部４０４は、同等レベルのコントラスト表示を行う。
【図面の簡単な説明】
【００２８】
【図１】本発明にかかる画像表示装置のコントラスト制御装置の一実施の形態を示す構成図である。
【符号の説明】
【００２９】
１０１  ボタン電話装置
２０１  ボタン電話機
２０２  回線インタフェース部
２０３  通信ＬＳＩ
２０４  中央制御部
２０５  送受話器
２０６  ＬＣＤコントラスト調整ダウンボタン
２０７  ＬＣＤコントラスト調整アップボタン
２０８  メインＬＣＤコントラスト制御信号生成部
３０１  メインＬＣＤ部
４０１  ＬＣＤユニット
４０２  ＬＣＤ制御部
４０３  サブＬＣＤコントラスト制御信号変換部
４０４  サブＬＣＤ部
４０５  メインＬＣＤコントラスト制御信号認識部
【図１】
2005031597.tif 000003